(57)【要約】ＸＹ平面及び平面に垂直なＺ方向を画定する、掃除用品である。本掃除用品は、キャリアシート上に配置されたトウ繊維の別個の房を有する。別個の房は、房の外側に接合線を有する。接合線は、房のＺ方向厚さを遮って、標的表面からの塵の回収及び保持を改善するためのチャネルを提供する。
2021515611.tif 000002
【特許請求の範囲】
【請求項１】
ＸＹ平面及び前記ＸＹ平面に垂直なＺ方向を画定する縁部２０、２２によって境界が区切られた掃除用品１０であって、
第１の側面と、前記第１の側面に対して反対側の第２の側面とを有するキャリアシートと、
複数の一次接合部３２によって前記キャリアシートの前記第１の側面に接合され、Ｚ方向にそこから外向きに延在して前記Ｚ方向にトウ厚さを有する、複数の別個のトウ繊維と、を備え、
少なくとも一対の細長い二次接合部３４が、前記トウ繊維の少なくとも一部分上に配置され、前記部分を前記キャリアシートに接合し、
各二次接合部は、前記Ｚ方向において二次接合部厚さを有し、
前記二次接合部厚さは、前記Ｚ方向において前記トウ厚さ未満であり、
前記二次接合部３４の対は、少なくとも２つの隣接する複数のトウ繊維を架橋することを特徴とする掃除用品１０。
【請求項２】
前記二次接合部３４の対がそれらの間に中間厚さを形成し、
前記中間厚さは前記二次接合部厚さよりも大きく、前記二次接合部厚さ未満であることを特徴とする、請求項１に記載の掃除用品１０。
【請求項３】
前記二次接合部３４の対がそれらの間に中間厚さ空間を形成し、
前記チャネルが、前記ＸＹ平面内の前記複数の房１５を少なくとも部分的に通る厚さを有することを特徴とする、請求項１及び２に記載の掃除用品１０。
【請求項４】
前記房１５が、２つの対向する房長手方向縁部の中間の房１５の領域を備え、少なくとも一対の前記二次接合部３４が、それらの間で中断することなく前記房長手方向縁部の両方を横切る、請求項１、２及び３に記載の掃除用品１０。
【請求項５】
前記房１５が、２つの対向する房長手方向縁部の中間の房１５の領域を備え、
少なくとも一対の前記二次接合部３４が、前記房長手方向縁部の両方へと連続的に延在しない、請求項１、２及び３に記載の掃除用品１０。
【請求項６】
前記長手方向軸の各側に配置され、前記長手方向軸を横切らない複数対の二次接合部３４を備える、請求項５に記載の掃除用品１０。
【請求項７】
少なくとも前記一対の前記二次接合部３４が、概ね前記横断方向軸に平行である、請求項１、２、３、４、５及び６に記載の掃除用品１０。
【請求項８】
少なくとも前記一対の前記二次接合部３４が、概ね前記横断方向軸に対して斜めである、請求項１、２、３、４、５及び６に記載の掃除用品１０。
【請求項９】
前記長手方向軸の各側に配置され、前記長手方向軸を横切らない、ヘリングボーン模様にて配列されている複数対の二次接合部３４を備える、請求項１、２、３、５、６及び８に記載の掃除用品１０。
【請求項１０】
前記二次接合部３４の前記対がダイヤモンド模様で配列されている、請求項１、２、３、５、６及び８に記載の掃除用品１０。
【請求項１１】
前記二次接合部３４の前記対が、前記長手方向軸を横切る連続したダイヤモンド模様で配列されている、請求項１０に記載の掃除用品１０。
【請求項１２】
前記二次接合部３４がテーパ状である、請求項１、２、３、４、５、６、７、８、９、１０及び１１に記載の掃除用品１０。
【請求項１３】
前記二次接合部３４が、２〜１２ｍｍの一定幅を有する、請求項１、２、３、４、５、６、７、８、９、１０及び１１に記載の掃除用品１０。
【請求項１４】
前記二次接合部３４の対の各二次接合部が互いに平行である、請求項１〜１３のいずれか一項に記載の掃除用品１０。
【請求項１５】
複数対の二次接合部３４を備える、請求項１〜１４のいずれか一項に記載の掃除用品１０。
【発明の詳細な説明】
【技術分野】
【０００１】
本発明は、掃除のために差動高さのトウ繊維の房を有する掃除用品に関する。
【背景技術】
【０００２】
種々の掃除用品が、埃取り及び軽い掃除のために開発されてきた。例えば、乾燥した状態で、又は研磨及び洗浄組成物によって濡れた状態で使用される、布きれ及びペーパータオルが、調理台、シャワー、シンク、床などの比較的平らな表面で使用されてきた。米国特許第９，２９６，１７６号に開示されているように、薄層からなる拭き取り布が提案されてきた。しかし、布きれ、拭き取り布、及びペーパータオルには、衛生状態（使用者の手が、化学薬品、汚れ、又は掃除中の表面に触れることがある）、届く範囲（布きれ、拭き取り布、又はペーパータオルを持った状態で、使用者の手を、届きにくい場所に入れることが困難であることがある）、及び不便さ（密接に離間された物品の間を掃除する場合、通常、これらの物を移動させる必要がある）などの理由による問題がある。
【０００３】
布きれ及びペーパータオルの使用に伴うこれらの問題を克服するために、Ｈａｙｄｅｎによる米国特許第８２３，７２５号（１９０６年発行）に記載のフェルト及び毛を使用したデバイス、及び同第４，１４５，７８７号に記載の糸を使用したデバイスなどの、再利用可能な種々の集塵デバイスが、１世紀を超えて利用されてきた。再利用可能な集塵デバイスの問題に対処するため、限定的な再利用性を有する使い捨て掃除用品が開発されてきた。これらの使い捨て掃除用品は、米国特許出願公開第２００６／０１７１７６４号、米国特許第６，１４３，３９３号、同６，２４１，８３５号、同６，３１９，５９３号、同６，３２９，３０８号、同６，５５４，９３７号、同６，７７４，０７０号、同６，８１３，８０１号、同６，８３０，８０１号、同６，９８４，６１５号、同７，００３，８５６号、同７，５６６，６７１号、同７，７１２，１７８号、同７，７７９，５０２号、同７，８７０，６３５号、同７，９３７，７９７号、同８，１４６，１９７号、同８，１５１，４０２号、同８，１６１，５９４号、同８，１８６，００１号、同８，２２５，４５３号、同８，２４５，３４９号、同８，６４６，１４４号、同８，５２８，１５１号、同８，６１７，６８５号、同８，６４６，１４４号、同８，７５２，２３２号、同８，７５６，７４６号、同８，７６３，１９７号、同８，７９３，８３２号、同９，１１３，７６８号、同９，１９８，５５３号及び本願と同一譲受人に譲渡された米国特許第８，０７５，９７７号に示されるように、シートに取り付けられたトウ繊維と呼ばれる合成繊維の房を含んでもよい。
【０００４】
米国特許第７，５６６，６７１号、及び本願と同一譲受人に譲渡された米国特許第７，８０３，７２６号、及び本願と同一譲受人に譲渡された米国特許出願公開第２００８／００２８５６０号に開示されているように、トウ繊維を有する使い捨てダスターは、湿式掃除用に提供されてもよい。しかし、トウ繊維は濡れるともつれた状態になることがあるため、広い又はひどく濡れた表面（例えば、床）の掃除には好適ではない。したがって、ダスターは、極めて広い又はひどく汚れた表面の掃除には好適ではない場合がある。
【０００５】
したがって、床などのより大きな標的表面を掃除するための種々のシートが提案されている。弾性挙動を有するウェブは、本願と同一譲受人に譲渡された米国特許第５，６９１，０３５号に提案されている。米国特許第６，２４５，４１３号、及び同第７，３８６，９０７号に開示されているように、くぼみを有するシートも提案されている。米国特許第６，５５０，０９２号に開示されているように、空洞を有するシートが提案されている。粘着性掃除シートは、米国特許第７，２９１，３５９号に提案されている。房は、本願と同一譲受人に譲渡された米国特許第７，６８２，６８６号、同第７，８３８，０９９号、及び／又は同第８，０７５，９７７号に教示されている。更にその他の試みでは、ワックス及び／又は油のコーティングを使用する。ワックス及び油などのコーティングは、一般に、米国特許第６，５５０，０９２号、同６，７７７，０６４号、同６，７９７，３５７号、同６，９３６，３３０号、同６，９８４，６１５号、同７，３８６，９０７号、同７，５６０，３９８号、同７，７８６，０３０号、同８，５３６，０７４号、同９，２０４，７７５号及び同９，３３９，１６５号に開示されている。特定の両親媒性コーティングは、米国特許第８，８５１，７７６号に開示されている。
【０００６】
一部の先行技術は、意図される収集対象の塵のサイズに基づいて、単純に大きい塵及び小さい塵に焦点を合わせる試みがなされている。しかし、これらの教示は、床を掃除する際に一般的に見出される範囲の塵を収集するための適切なトウ繊維の使用に必ずしも対処するものとはなっていない。掃除用シートにトウ繊維を組み込む先行技術の試みは、このような体積及び密度の差を考慮に入れていなかった。泥などの高密度で粒状の塵は、必ずしもトウ繊維によって捕捉されない。トウ繊維の間隔が広すぎると、高密度で粒状の塵と接触することすらできず、表面にあるこのような塵をほとんど掃除することができなくなる。また、トウ繊維の間隔が密接すぎると、より大きな体積でより低い密度の塵を捕えて保持することができない場合がある。このような塵が最初に捕捉された場合であっても、先行技術のシートは、そのような塵をシートによってどのように保持するかという問題に対処していない。
【先行技術文献】
【特許文献】
【０００７】
【特許文献１】米国特許第９，２９６，１７６号
【特許文献２】米国特許第８２３，７２５号
【特許文献３】米国特許第４，１４５，７８７号
【特許文献４】米国特許出願公開第２００６／０１７１７６４号
【特許文献５】米国特許第６，１４３，３９３号
【特許文献６】米国特許第６，２４１，８３５号
【特許文献７】米国特許第６，３１９，５９３号
【特許文献８】米国特許第６，３２９，３０８号
【特許文献９】米国特許第６，５５４，９３７号
【特許文献１０】米国特許第６，７７４，０７０号
【特許文献１１】米国特許第６，８１３，８０１号
【特許文献１２】米国特許第６，８３０，８０１号
【特許文献１３】米国特許第６，９８４，６１５号
【特許文献１４】米国特許第７，００３，８５６号
【特許文献１５】米国特許第７，５６６，６７１号
【特許文献１６】米国特許第７，７１２，１７８号
【特許文献１７】米国特許第７，７７９，５０２号
【特許文献１８】米国特許第７，８７０，６３５号
【特許文献１９】米国特許第７，９３７，７９７号
【特許文献２０】米国特許第８，１４６，１９７号
【特許文献２１】米国特許第８，１５１，４０２号
【特許文献２２】米国特許第８，１６１，５９４号
【特許文献２３】米国特許第８，１８６，００１号
【特許文献２４】米国特許第８，２２５，４５３号
【特許文献２５】米国特許第８，２４５，３４９号
【特許文献２６】米国特許第８，６４６，１４４号
【特許文献２７】米国特許第８，５２８，１５１号
【特許文献２８】米国特許第８，６１７，６８５号
【特許文献２９】米国特許第８，７５２，２３２号
【特許文献３０】米国特許第８，７５６，７４６号
【特許文献３１】米国特許第８，７６３，１９７号
【特許文献３２】米国特許第８，７９３，８３２号
【特許文献３３】米国特許第９，１１３，７６８号
【特許文献３４】米国特許第９，１９８，５５３号
【特許文献３５】米国特許第８，０７５，９７７号
【特許文献３６】米国特許第７，８０３，７２６号
【特許文献３７】米国特許出願公開第２００８／００２８５６０号
【特許文献３８】米国特許第５，６９１，０３５号
【特許文献３９】米国特許第６，２４５，４１３号
【特許文献４０】米国特許第７，３８６，９０７号
【特許文献４１】米国特許第６，５５０，０９２号
【特許文献４２】米国特許第７，２９１，３５９号
【特許文献４３】米国特許第７，６８２，６８６号
【特許文献４４】米国特許第７，８３８，０９９号
【特許文献４５】米国特許第６，７７７，０６４号
【特許文献４６】米国特許第６，７９７，３５７号
【特許文献４７】米国特許第６，９３６，３３０号
【特許文献４８】米国特許第７，５６０，３９８号
【特許文献４９】米国特許第７，７８６，０３０号
【特許文献５０】米国特許第８，５３６，０７４号
【特許文献５１】米国特許第９，２０４，７７５号
【特許文献５２】米国特許第９，３３９，１６５号
【特許文献５３】米国特許第８，８５１，７７６号
【発明の概要】
【発明が解決しようとする課題】
【０００８】
したがって、本発明は、掃除用シート上にトウ房を選択的に処理することにより、日常の掃除において遭遇する広範囲の塵を捕捉し保持するために、硬質表面掃除用品にトウ繊維をどのように組み込むかという問題に対処する。
【課題を解決するための手段】
【０００９】
本発明は、長手方向軸を有し、キャリアシートを含む縁部によって境界が区切られた掃除用品と、キャリアシートに接合された複数の離散的に離間されたトウ繊維の房と、を備える。房は、そこを通る二次接合部を有し、塵の蓄積のためのチャネルを形成する。
【図面の簡単な説明】
【００１０】
図では、掃除用品の接着線及び設置面積は、縮尺通りに描かれている。トウ繊維の房を概略的に示す。本発明で使用する場合、上面図は、標的表面に向かって面して接触する掃除用品の図である。底面図は上面図とは対照的であり、掃除用品がそこへと取り付けられた場合に掃除デバイスのヘッドに向かって面する。
【図１Ａ】ダイヤモンドとして表される別個の房を有し、連続した対である二次接合部が横断方向軸に対して概ね平行に配向されている、本発明による掃除用品の上面図である。
【図１Ｂ】各房に関して共通の近位端部で表される別個の房を有する、図１Ａの掃除用品の上面図である。
【図１Ｃ】図１Ａ及び図１Ｂの掃除用品の底面図である。
【図２Ａ】ダイヤモンドとして表される別個の房を有し、位置合わせされた、対状の、中断された二次接合部が横断方向軸に対して概ね平行に配向されている、本発明による掃除用品の上面図である。
【図２Ｂ】各房に関して共通の近位端部で表される別個の房を有する、図２Ａの掃除用品の上面図である。
【図２Ｃ】図２Ａ及び図２Ｂの掃除用品の底面図である。
【図３Ａ】ダイヤモンドとして表される別個の房を有し、対である連続した二次接合部が横断方向軸に対して斜めに配向されている、本発明による掃除用品の上面図である。
【図３Ｂ】各房に関して共通の近位端部で表される別個の房を有する、図３Ａの掃除用品の上面図である。
【図３Ｃ】図３Ａ及び図３Ｂの掃除用品の底面図である。
【図４Ａ】ダイヤモンドとして表される別個の房を有し、オフセットされた対状の中断された二次接合部が横断方向軸に対して斜めに配向されている、本発明による掃除用品の上面図である。
【図４Ｂ】各房に関して共通の近位端部で表される別個の房を有する、図４Ａの掃除用品の上面図である。
【図４Ｃ】図４Ａ及び図４Ｂの掃除用品の底面図である。
【図５Ａ】ダイヤモンドとして表される別個の房を有し、対状の連続した山形の二次接合部が長手方向に配向されている、本発明による掃除用品の上面図である。
【図５Ｂ】各房に関して共通の近位端部で表される別個の房を有する、図５Ａの掃除用品の上面図である。
【図５Ｃ】図５Ａ及び図５Ｂの掃除用品の底面図である。
【図６Ａ】ダイヤモンドとして表される別個の房を有し、対状の、中断された一定の幅の山形の二次接合部が、長手方向に配向されたヘリングボーンを形成する、本発明による掃除用品の上面図である。
【図６Ｂ】各房に関して共通の近位端部で表される別個の房を有する、図６Ａの掃除用品の上面図である。
【図６Ｃ】図６Ａ及び図６Ｂの掃除用品の底面図である。
【図６Ｄ】ダイヤモンドとして表される別個の房を有し、対状の、中断された可変幅の山形の二次接合部が、集塵のためのオフセット領域を伴う長手方向に配向されたヘリングボーンを形成する、本発明による掃除用品の上面図である。
【図６Ｅ】各房に関して共通の近位端部で表される別個の房を有する、図６Ｄの掃除用品の上面図である。
【図６Ｆ】図６Ｄ及び図６Ｅの掃除用品の底面図である。
【図７Ａ】ダイヤモンドとして表される別個の房を有し、対状の連続した二次接合部がダイヤモンド模様を形成する、本発明による掃除用品の上面図である。
【図７Ｂ】各房に関して共通の近位端部で表される別個の房を有する、図７Ａの掃除用品の上面図である。
【図７Ｃ】図７Ａ及び図７Ｂの掃除用品の底面図である。
【図８Ａ】ダイヤモンドとして表される別個の房を有し、対状の中断された二次接合部がジグザグのダイヤモンド模様を形成する、本発明による掃除用品の上面図である。
【図８Ｂ】各房に関して共通の近位端部で表される別個の房を有する、図８Ａの掃除用品の上面図である。
【図８Ｃ】図８Ａ及び図８Ｂの掃除用品の底面図である。
【図９Ａ】本発明による掃除用品の上面図であり、ダイヤモンドとして表される別個の房を有し、対状の、可変間隔のＳ字状接合を有する。
【図９Ｂ】各房に関して共通の近位端部で表される別個の房を有する、図９Ａの掃除用品の上面図である。
【図９Ｃ】図９Ａ及び図９Ｂの掃除用品の底面図である。
【図１０】本発明による掃除用品、及び明瞭性のために、任意の外辺接合部を有さず、かつ房を省略した、上述の二次接合部の種々の組み合わせの、概略上面図である。
【図１１Ａ】請求項に係る本発明と共に使用するのに好適な、掃除用品が取り付け可能な床掃除器具の斜視図である。
【図１１Ｂ】本発明と共に使用するのに好適な、床上に液体洗浄剤を噴霧する床掃除器具の斜視図である。
【図１１Ｃ】請求項に係る本発明によるダスター型掃除用品と共に使用するのに好適なハンドルの斜視図である。
【発明を実施するための形態】
【００１１】
全般に図１Ａ〜図１０を参照すると、掃除用品１０は、概ね細長い長方形であり得るが、その他の形状も想到され、実行可能である。掃除用品１０は、床の掃除に好適な掃除用品１０を提供するために、積層形態で接合された２つ以上の構成要素を含むことができる。掃除用品１０はキャリアシートを有してもよく、このシートは、その他の構成要素を取り付けるためのシャーシを形成している。掃除用品１０は、トウ繊維製の複数の房１５を有する。房１５は、房１５のグリッド又は領域を形成する列３０内に配置されてもよい。房１５は、第１の複数の一次接合部３２によってキャリアシートに接合される。第２の複数の二次接合部３４は、房１５を通ってチャネル又は溝を形成して、その中に塵を蓄積させる。
【００１２】
掃除用品１０は、使い捨てであってもよい。「使い捨て」とは、掃除用品１０が１回の掃除作業、あるいは概して数平方メートル以下に対して使用され、その後、廃棄され得ることを意味する。対照的に、再利用可能な掃除用品１０は、使用後、洗濯されるか、別の方法で元の状態に戻される。
【００１３】
本発明で使用する場合、本発明による掃除用品１０、特にそのキャリアシートは、巨視的に平面状であり、ＸＹ平面を画定する。房１５は、ＸＹ平面に垂直なＺ方向に外向きに延在する。掃除用品１０は、長手方向を画定する長手方向軸ＬＡと、それに直交し、横断方向を画定する横断方向軸ＴＡとを有してもよく、両方の軸ＬＡ、ＴＡはＸＹ平面内に位置する。掃除用品１０及びその各構成要素は、長手方向軸ＬＡに平行な２つの長手方向縁部２０と、横断方向軸ＴＡに平行な２つの横方向縁部２２とを有してもよい。例えば、房１５の領域は、キャリアシート内に配置された長手方向縁部２２０及び横方向縁部２２２を画定してもよい。
【００１４】
掃除用品１０の長さは、長手方向において測られる。掃除用品１０の幅は、長さ方向に対して直角であり、かつ、シートの平面内に配置される横断方向に対応する。ＸＹ平面は、掃除用品１０によって画定される平面によって定義される。掃除用品１０のＺ方向は、掃除用品１０の平面に対して垂直な方向である。厚さは、Ｚ方向の寸法として定義される。掃除用品１０は、２０〜５０ｃｍの長さ及び１０〜３０ｃｍの幅を有してもよい。具体的には、掃除用品１０は、後述するように、典型的な掃除器具７０のヘッド７４に適合するように、最大寸法で測定した際に、長さが３０＋／−２ｃｍであり、幅が１４＋／−２ｃｍであってもよい。当然のことながら、当業者であれば、その他の形状が実現可能であり、本発明の範囲内であることを理解するであろう。
【００１５】
掃除用品１０は、外向きの掃除面と、その反対側にある取り付け面とを有してもよい。掃除用品１０は、乾燥した状態で使用されることが意図されるが、湿式掃除も想到され、本発明の範囲内である。掃除用品１０はまた、湿式掃除のための任意の吸収性コアを有してもよい。任意のコアは、具体的には、幅が６．５＋／−２ｃｍであり、長さが２６＋／−２ｃｍであってもよい。
【００１６】
より具体的には、掃除用品１０は、少なくとも１つのトウ繊維房１５と、少なくとも１つのキャリアシートと、を有する構造を含んでもよい。トウ繊維房１５及びキャリアは、向かい合わせの関係で、少なくとも１つの永続接合部３８によって接合されて、積層体を形成している。トウ繊維房１５（複数可）は、キャリアシートの平面から広がって外向きに突出して、Ｚ方向の厚さを提供してもよい。房１５は、キャリアシート上に直接配置されてもよい。所望により、房１５は、前駆体シートに接合されてもよく、これは次に、キャリアシートに接合される。
【００１７】
具体的には、キャリアシートは合成不織布を含んでもよい。合成繊維を有するキャリアシートは、それらへのトウ繊維の好都合な接合をもたらす。当技術分野で周知のように、不織布には、スパンボンド材料、カード加工材料、及びエアレイド積層材料が含まれ、不織布は、合成繊維から作製されている。好適な不織布シートは、本願と同一譲受人に譲渡された米国特許第６，７９７，３５７号に従って作製されてもよい。キャリアシートは、所望により、ポリオレフィンフィルム又はマイクロファイバーを含み、液体透過性又は不透過性であってもよい。
【００１８】
キャリアシートは、セルロースを含んで吸収力を提供してもよい。当該技術分野において周知のように、セルロース系シートには、永続的な湿潤強度向上樹脂を添加してもよい。又はキャリアシートは、好ましくは、吸収特性及びバリア特性の両方を提供するために、セルロース及び合成繊維の混合物を含んでもよい。
【００１９】
キャリアシートは、坪量が２０〜８０ｇｓｍの水流交絡スパンボンド不織布を含んでもよい。Ａｖｇｏｌ  Ｎｏｎｗｏｖｅｎｓ（Ｔｅｌ−Ａｖｉｖ、イスラエル）の４５ｇｓｍの不織布が好適であることが分かっている。キャリアシートは、当該技術分野において周知のように、接着材及び／又は熱接着部を使用して互いに接合された２つ、３つ、又はそれ以上の層の積層体を含んでもよい。ループ又は同様の材料の任意の取り付け用ストライプが、取り付け面に接合されて、掃除用品１０をハンドル７２又は器具７０に取り外し可能に接合し得る。キャリアシートの１つ以上の層は、当該技術分野において周知のように、マイクロファイバー、特にナイロンマイクロファイバーを含んでもよい。
【００２０】
掃除用品１０は、任意の掃除ストリップ要素を有してもよい。掃除ストリップ要素は、本願と同一譲受人に譲渡された米国特許第８，４０７，８４８号に開示されるような一体型突出部を有するポリオレフィンフィルムを含んでもよい、又はトウ繊維のロープであってもよい。掃除ストリップ要素は、好ましくは、スパンレース又は水流交絡法などのプロセスを使用して合成不織布に接合された薄織物（tissue）として形成された湿式堆積繊維の混合物を含んでもよい。掃除要素は、具体的には、Ｓｕｏｍｉｎｅｎ（ヘルシンキ、フィンランド）によりＧｅｎｅｓｉｓ  ｔｉｓｓｕｅという名称で販売されている、１７ｇｓｍのポリプロピレンスパンボンドの複合材料を伴う２３ｇｓｍの薄織物を含んでもよい。あるいは、掃除ストリップ要素、前駆体シート及び／又はキャリアシートは、代替的に又は追加的に、ナイロンマイクロファイバーを含んでもよい。
【００２１】
トウ繊維、及びそれにより形成される房１５は、合成であってよく、ポリエステル、ポリプロピレン、ポリエチレン、生物由来ポリマー（例えば、ポリ乳酸、バイオポリエチレン、バイオポリエステルなど）などを含むポリマーを含んでいてよい。トウ繊維はまた、セルロース、アセチルセルロース、亜麻、麻、黄麻、及びこれらの混合物などの天然物由来の繊維を含んでもよく、この場合、個々の繊維は、束状に製造された比較的長いストランドである。好ましいトウ繊維は、ポリエチレンシースを有するポリプロピレン又はポリエチレンコアを有する二成分繊維である。トウ繊維は、フィラメント当たり１．５〜８．０デニール、全捲縮で１５，０００〜９５，０００デニールを有してもよい。トウ繊維は、本譲受人によって販売されているＳｗｉｆｆｅｒ（登録商標）Ｄｕｓｔｅｒｓ（商標）の構成要素である。
【００２２】
トウ繊維束１５は、複数の永続一次接合部３２によってキャリアシートに接合されてもよい。一次接合部３２は、離れた又は離脱したトウ繊維がキャリアシートからほどけることを、最小限に抑える又は防ぐことを意図している。このようなシート１２及びトウ繊維房１５（複数可）は、典型的には、介在シート、介在部材又は介在構成要素をその間に挟んで又は挟まずに、互いに直接重畳されている場合がある。一次接合部３２は、当該技術分野において周知のように、超音波接合部３８、接着材接合部３８、熱接着部３８、又はこれらの組み合わせであってもよい。
【００２３】
掃除用品１０はまた、二次的な複数の二次接合部３４を有する。二次接合部３４は、典型的には、房１５が一次接合部３２によってキャリアシートに接合された後に形成される。二次接合部３４は、概ね直線状であり、ＸＹ平面内のアスペクト比が少なくとも１、好ましくは少なくとも１０、より好ましくは少なくとも２０である。二次接合部３４は、Ｚ方向における房１５の厚さを低減する。二次接合部３４の縁部と位置合わせされた房１５の残部に対する二次接合部３４の厚さの低減により、チャネルが塵を捕える。二次接合部３４は、一定の幅であってもよい、又はその遠位端部に向かって収束してもよい。
【００２４】
二次接合部３４は、長手方向軸に対する均一なサイズ、配向、及び間隔であってもよい。あるいは、二次接合部３４は、所望の場合、変更可能な幅、長さ、間隔、角度配向及び／又は幾何学的形状であってもよい。
【００２５】
二次接合部３４によって形成されたチャネルは、大きな塵が掃除用品１０の長手方向軸ＬＡに近づく方向で進入することを可能にする。特に、この配置は、通常の使用に間に、二次接合部によって形成されたチャネル内でより大きな塵を捕えることができる一方で、より小さい塵が房１５によって捕えられる、という利点をもたらす。
【００２６】
二次接合部３４は、その上に配置された接着材を有してもよい。接着材は、二次接合部３４によって形成されたチャネルに進入する塵の保持を補助する。好適な接着材は、接触接着材を含む。接着材は、噴霧、ローラ、及びゾーンコーティングに関する当該技術分野において周知のその他の技術によって、二次接合部３４に適用されてもよい。
【００２７】
房１５の領域の横方向縁部２２２は、キャリアシートの横方向縁部２２と並置されてもよい、又はそれと一致してもよい。好ましくは、外辺接合部３４Ｐは、房１５の領域のトウ繊維をそれぞれの横方向縁部２２、２２２で接合する。この配置は、個々の掃除用品１０を連続ウェブから分離する場合に、又は介在する一次接合部３２を伴わずに横方向縁部２２付近にスリット３６がある場合に、トウ繊維の損失が発生することを防止する。本発明で使用する場合、スリット３６は、２つの繊維及び下層のキャリアシートを貫通して切断され、それによって房１５を形成する。
【００２８】
本発明による掃除用品１０は、キャリアシートを提供することによって作製されてもよい。トウ繊維は、キャリアシート上に配置される。本明細書に示される実施形態では、トウ繊維は、長手方向にほぼ整列しているが、本発明はそのように限定されるものではない。トウ繊維は、横方向に斜めに配置された一次接合部３２を用いて、キャリアシートに接合される。一次接合部３２は、横断方向に配向される。一次接合部３２は涙滴形として示されているが、本発明はそのように限定されるものではない。一次接合部３２は、トウ繊維がそれによってキャリアシートに永続的に接合される限り、直線状又は任意の所望の形状及びサイズであってもよい。
【００２９】
房１５は、キャリアシート及び複数のスリットを有する接合部３８間のトウ繊維を切断することによって作製される。房１５を形成するトウ繊維の近位端部は、それぞれの一次接合部３２によって画定される。２つの連続スリット３６は、それぞれの房１５のトウ繊維の近位端部を画定し、形成する。
【００３０】
房１５は、房１５の厚さをＺ方向に増加させるために、所望により毛羽立たせることができる。任意の毛羽立ちは、当該技術分野において周知のように、空気を吹き込むことによって達成され得る。
【００３１】
スリット３６が形成されて毛羽立ちが生じた後、二次接合部３４が適用される。二次接合部３４は、一次接合部３２と同じ様式で形成されてもよい、又は異なる方法によって形成されてもよい。二次接合部３４は、当該技術分野において周知のように、超音波接合部３８、接着材接合部３８、熱接着部３８、又はこれらの組み合わせであってもよい。二次接合部３４を形成する任意のこのような方法は、視覚的に識別可能な二次接合部３４が形成され、二次接合部３４とトウ繊維の少なくとも２つ以上の隣接する房１５との間のＺ方向の厚さ差を提供する限り、好適である。
【００３２】
二次接合部３４は、好ましくは、房１５の領域の長手方向縁部２２０を遮る。この配置により、大きな塵のための開口部が長手方向軸に向かう方向に房１５の領域へと入り、二次接合部に隣接して二次接合部の境界を形成する接着部及び／又は房１５によって保持される。二次接合部３４がなければ、大きな塵が房１５の領域の長手方向縁部２２０上に捕捉され、追加の塵を捕えることから房１５を遮蔽することができる。
【００３３】
この幾何学的形状は、本譲受人によって販売されているＳｗｉｆｆｅｒ（登録商標）Ｓｗｅｅｐｅｒ（商標）器具７０などの、共通サイズの掃除器具７０と共に使用された場合に、房１５及び二次接合部３４が掃除器具のヘッド７４の先端を包み込むことができるという利益を提供する。掃除器具７０のヘッド７４の先端を包み込むことは、壁及び幅木に沿った掃除を改善すると考えられる。先端上の房１５の量は、二次接合部３４によって制御することができ、二次接合部３４の幅に反比例する。
【００３４】
特に、二次接合部３４は、不規則に離間していてもよい。不規則に離間されることにより、少なくとも１つの二次接合部３４が隣接する二次接合部３４に対して密接に離間され、別の隣接する二次接合部３４から比較的更に遠く離間されていることを意味する。この配置は、二次接合部３４の対であるように見え得る２つの隣接する二次接合部３４を提供する。
【００３５】
対である二次接合部３４は、その対である二次接合部３４間の最も近い点で測定した際に、２〜１５ｍｍ、特に５〜１０ｍｍ離間されていてもよい。一対の二次接合部３４は、それらの間の最も近い点で測定した際に、一対の隣接する二次接合部３４の対から少なくとも３０、４０又は５０ｃｍ離間されていてもよい。二次接合部３４の対は、視覚的に識別され得る。
【００３６】
この配置は、少なくとも３つの異なる厚さの房１５の利点を提供する。掃除用品１０の最も厚い部分は、房１５が二次接合部３４によって遮られず、二次接合部３４に機能的に近くない場所に対応する。掃除用品１０の最も薄い部分は、房１５が二次接合部３４によって直接接合され、かつ二次接合部３４の下に位置する場所に対応する。掃除用品１０の中間厚さ部分は、対である二次接合部３４間のチャネルに対応する。房１５の差動厚さは、視覚的に識別され得る。
【００３７】
複数の厚さの房１５のこの配置は、掃除用品１０の最も厚い部分が、小さな塵及び埃を捕えて保持することができるという利点を提供する。掃除用品の最も薄い部分は、より大きな粒子を捕えて保持することができる。掃除用品１０の中間厚さ部分は、中間サイズの塵に好適であると考えられる。したがって、本発明による掃除用品１０は、予想外にかつ有効に、種々の粒径の塵を掃除する。
【００３８】
特に図１Ａ〜図２Ｃを参照すると、掃除用品１０は、横断方向軸ＴＡに平行な連続した二次接合部３４を有してもよい。この幾何学的形状は、二次接合部３４のチャネルにより、一般に、塵が前方及び後方運動の方向に進入することを可能にし得る一方で、大量の塵を収容するのに十分な容積を提供することができるという利点を提供する。
【００３９】
横断方向に平行である二次接合部３４の整列は、幅方向に概ね配向され、かつ縦方向に垂直である。熱接合及び超音波接合は、典型的には、任意の時点で幅方向に発生する。二次接合部３４のサイズが幅方向に増大するにつれて、二次接合部３４を形成するのに必要なアンペア数も同様に増大する。増大したアンペア数は、典型的には、機器コストの増加をもたらし、かつ製造コストの増加をもたらす。後述の特定の変形実施形態は、熱接合及び／又は超音波接合を使用して、横断方向に平行な同等の二次接合部３４を形成するために必要なアンペア数に対して、二次接合部３４を形成するのに必要なアンペア数を低減させるという利点を有する、と述べられる。
【００４０】
概ね平行かつ等間隔の房１５の列が示されているが、本発明はそのように限定されるものではない。等しい又は等しくない間隔、及び等しい又は等しくない可変幅、及び等しい又は等しくない房１５密度を有する、予測的に２〜１５の列を使用することができる。房１５の列は、横断方向軸に対して互いに平行であってもよく、横断方向軸に対して互いに斜めであってもよい、又はその他の列に対して互いに斜めであってもよい。所望により、接着材は、列３０の間の空間部内に配置されてもよい。列３０は横断方向にわたって延在してもよく、かつ長手方向軸で中断されてもよい。房１５の間の、テーパ状の房内空間部は、房１５が空間部によって中断されないという利点を提供する。したがって、全ての房１５は、効果的な掃除に十分大きなサイズであるように選択することができる。
【００４１】
このピッチ、即ち房１５の密度は、長手方向縁部２０からの任意の所定の間隔で一定であってもよい。房１５は、長手方向軸及び横断方向軸に対して両側に互い違いに配置されてもよい。房１５は、それらの間に適切な間隔を提供するために、及び前後の移動の掃除（back and for the sweeping）中に塵の保持力を提供するために、両方の方向に、隣接する房１５の位置と完全に重なり合ってもよい。あるいは、最大直径、又は長手方向軸に平行に取られたその他の最大寸法を有する各房１５、及び、特定の列の隣接する房１５間のピッチは、その最大直径／寸法よりも大きくてもよい。
【００４２】
このような掃除用品は、当該技術分野において一般的なように、前記長手方向軸に概ね平行に、３つ折りであってもよい。この配置は、掃除器具のヘッド７４への取り付けに一般的に使用するための、三等分部のうち外側の２つを提供する。所望される場合、房１５は、壁及び幅木に沿った掃除を提供するために、外側の三等分部のうちの少なくとも１つに、及び所望により両方に、配置されてもよい。
【００４３】
この幾何学的形状は、本譲受人によって販売されているＳｗｉｆｆｅｒ（登録商標）Ｓｗｅｅｐｅｒ（商標）器具７０などの、共通サイズの掃除器具７０と共に使用された場合に、房１５が掃除器具のヘッド７４の先端を包み込むことができるという利益を提供する。掃除器具７０のヘッド７４の先端を包み込むことは、壁及び幅木に沿った掃除を改善すると考えられる。先端上の房１５の量は、空間部３１によって制御することができ、空間部３１の幅に反比例する。
【００４４】
掃除用品は、掃除を改善し、かつ回収された塵の保持性を増大させるために、所望により、接着剤、ろう、ニュートンオイル及び／若しくは非ニュートンオイル、又はこれらの組み合わせによって、完全に又は部分的にコーティングされてよい。特に、任意の構成のトウ繊維房１５は、鉱油コーティングでコーティングされてもよい。コーティングは、油対界面活性剤の比が約９０％〜１０％の、鉱油と界面活性剤との混合物を含んでもよい。界面活性剤は、表面エネルギーを低減させることによって、トウ繊維を湿潤させるように油を誘導する利点を提供する。界面活性剤は、非イオン性界面活性剤であってもよい。
【００４５】
特に図１Ａ〜図１Ｃを参照すると、掃除用品１０は、横断方向軸ＴＡに平行な連続した対である二次接合部３４を有してもよい。対になった二次接合部３４により、ニつは、２つの二次接合部３４が比較的密接かつ近接して離間され、対が、別の二次接合部の対３４から離間していると表示すること意味する。
【００４６】
対になった二次接合部３４を有する本明細書に記載の各実施形態に関して、対になった二次接合部３４は、二次接合部のために比較的広い幅を必要とせずに、集塵のためにチャネルを形成することができるという利点を提供する。二次接合部３４は、典型的には、幅方向に形成される。二次接合部３４の幅が（図３Ａ〜図３Ｂの水平方向に）増大するにつれて、熱封止又は超音波接合を使用して接合を達成するために必要なアンペア数も同様に増大する。２つの、より狭い対である二次接合部３４を使用すると、単一のより広い二次接合部よりも少ないアンペア数のスパイクが必要である。
【００４７】
対である二次接合部３４のそれぞれは、１１〜２０ｃｍの長さＣ１、及び０．１〜１．５ｃｍの幅Ｃ２を有してもよい。二次接合部３４の対は、それらの間に１〜１０ｃｍの間隔Ｃ３を有してもよい。対である二次接合部３４間のチャネルは、０．１〜１ｃｍの範囲であってもよい。これらの二次接合部３４は、房１５の領域の長手方向縁部２２０の両方を遮り、塵の便利な進入を可能にし得る。
【００４８】
この幾何学的形状は、二次接合部３４のチャネルにより、一般に、塵が前方及び後方運動の方向に進入することを可能にする一方で、大きな塵を保持するために、長手方向軸ＬＡ上及び長手方向軸ＬＡに近接した房１５を有することを可能にし得る、という利点を提供する。
【００４９】
６対の等間隔の二次接合部３４の対が示されているが、本発明はそのように限定されるものではない。同様の又は異なるサイズ及び／若しくは間隔の二次接合部３４を、より多く、又はより少なく利用してもよい。二次接合部３４は、二次接合部３４の対内で異なる厚さ、又は示されるような接合部の対間の異なる厚さを有してもよい。
【００５０】
図２Ａ〜図２Ｃを参照すると、対である連続した二次接合部３４は、長手方向軸ＬＡに近接して中断されてもよい。この幾何学的形状は、対である二次接合部３４のチャネルにより、一般に、塵が前方及び後方運動の方向に進入することを可能にする一方で、大きな塵を保持するために、長手方向軸ＬＡ上及び長手方向軸ＬＡに近接した房１５を有することを可能にし得る、という利点を提供する。
【００５１】
横方向に対向する二次接合部３４の対の間の中断は、熱封止又は超音波接合中のアンペア数の低減を更に提供する。低減されたアンペア数は、製造コストを潜在的に低減させる可能性がある。
【００５２】
これらの対である二次接合部３４のそれぞれは、２〜８ｃｍの長さＣ１、及び０．０５〜０．５ｃｍの幅Ｃ２を有してもよい。二次接合部３４の対は、それらの間に１〜１０ｃｍの間隔Ｃ３を有してもよい。対である二次接合部３４間のチャネルＣ４は、０．１〜１ｃｍの範囲であってもよい。二次接合部３４は、横断方向に１〜６ｃｍで長手方向軸ＬＡにわたる間隔Ｓ３を有してもよい。これらの二次接合部３４は、房１５の領域の長手方向縁部２２０の両方を遮り、塵の便利な進入を可能にし得る。
【００５３】
１２対の等間隔の二次接合部３４の対が示されているが、本発明はそのように限定されるものではない。同様の又は異なるサイズ及び／若しくは間隔の二次接合部３４の対を、より多く、又はより少なく利用してもよい。
【００５４】
図３Ａ〜図４Ｃを参照すると、二次接合部３４は、長手方向軸ＬＡに対して連続的かつ斜めに配向されてもよい。本明細書に記載及び特許請求される全てのこのような実施形態についての斜めの配向は、前後運動の間、二次接合部３４によって形成されたチャネルに塵が進入すると、境界を形成する房１５を捕え、それによって保持され得るという利点を提供する。更に、チャネルは、掃除中に発生する旋回運動及び横方向運動中塵を捕えることができる。
【００５５】
更に、本明細書に記載及び特許請求される全ての斜め状の二次接合部３４の実施形態では、製造中の接合工程の瞬間的なアンペア数引き込みは、超音波接合又は熱接合中に横断方向に配向された二次接合部３４と比較して低減される。アンペア数の低減は、任意の時点で、より少ない接合面積が存在するために生じる。
【００５６】
１４個の概ね等間隔の二次接合部３４が示されているが、本発明はそのように限定されるものではない。同様の又は異なるサイズ及び／若しくは間隔の二次接合部３４を、より多く、又はより少なく利用してもよい。
【００５７】
図３Ａ〜図３Ｃを参照すると、連続した斜め状の二次接合部３４の線を対にしてもよい。この配置は、対である二次接合部３４と斜め配向との有利な組み合わせに起因して、任意の時点における瞬間的なアンペア数要件の低減という利点を提供する。
【００５８】
対である二次接合部３４のそれぞれは、１１〜２０ｃｍの長さＣ１、及び０．０５〜０．５ｃｍの幅Ｃ２を有してもよい。二次接合部３４の対は、それらの間に１〜１０ｃｍの間隔Ｃ３を有してもよい。二次接合部３４は、対である二次接合部３４から０．１〜１ｃｍの間隔を有してもよい。二次接合部３４は、長手方向軸が３０〜７５度の角度Ａ１を形成してもよい。これらの二次接合部３４は、房１５の領域の長手方向縁部２２０の両方を遮り、塵の便利な進入を可能にし得る。
【００５９】
７対の等間隔の二次接続部３４が示されているが、本発明はそのように限定されるものではない。同様の又は異なるサイズ及び／若しくは間隔の二次接合部３４の対を、より多く、又はより少なく利用してもよい。
【００６０】
図４Ａ〜図４Ｃを参照すると、二次接合部３４は対であり、斜めに配向され、中断され、かつ長手方向軸ＬＡのその他方の側に配置された二次接合部３４からオフセットされてもよい。この配置は、二次接合部３４を超音波接合又は熱接合するために必要とされる瞬間的なアンペア数を、有利に更に低減させる。この場合もやはり、長手方向軸ＬＡに近接する房１５は保持され、有利には、塵の容量を増大させる。
【００６１】
対である二次接合部３４のそれぞれは、２〜８ｃｍの長さＣ１、及び０．５〜５ｃｍの幅Ｃ２を有してもよい。二次接合部３４の対は、それらの間に１〜１０ｃｍの間隔Ｃ３を有してもよく、また対である二次接合部３４間に０．１〜１ｃｍの間隔Ｃ４を有してもよい。二次接合部３４は、長手方向軸が３０〜７５度の角度Ａ１を形成してもよい。二次接合部３４は、横断方向に１〜６ｃｍで長手方向軸ＬＡにわたる間隔Ｓ３を有してもよい。これらの二次接合部３４は、房１５の領域の長手方向縁部２２０の両方を遮り、塵の便利な進入を可能にし得る。
【００６２】
１４対の概ね等間隔の二次接合部３４の対が示されているが、本発明はそのように限定されるものではない。同様の又は異なるサイズ及び／若しくは間隔の二次接合部３４を、より多く、又はより少なく利用してもよい。
【００６３】
図５Ａ〜図６Ｃを参照すると、二次接合部３４は、長手方向軸ＬＡにまたがる連続した山形であってもよい。山形は、二次接合部３４の熱接合及び超音波接合のための瞬間的なアンペア数要件の低減という利点を提供する。山形の斜めの脚部はそれぞれ、二次接合部３４のチャネル内の塵の保持を提供する。山形は、有利には、２つの異なる方向に斜めに配向されたチャネルをもたらす。２つの異なる配向は、掃除運動が種々の方向に生じる際に、異なる方向に汚れを捕える利点を提供する。
【００６４】
図５Ａ〜図５Ｃを参照すると、二次接合部３４は、対である連続した山形の形態であってもよい。この配置は、塵を捕えるために、頂点及びより多くの二次接合部３４での保持という利点を提供する。二次接合部３４は、１０〜１８ｃｍの横断方向スパンＳ２を有してもよく、山形の二次接合部３４の各脚部は、５〜１０ｃｍの長さのＣ１、０．１〜１ｃｍの二次接合部３４の幅Ｃ２、０．１〜１０ｃｍの二次接合部３４の間の間隔Ｃ３、及び０．１〜１ｃｍの対内の二次接合部３４間の間隔Ｃ４を有してもよい。二次接合部３４は、長手方向軸ＬＡに対して３０〜７５度の角度Ａ１で形成されてもよい。
【００６５】
６つの等間隔の二次接合部３４の対が示されているが、本発明はそのように限定されるものではない。同様の又は異なるサイズ及び／若しくは間隔の二次接合部３４を、より多く、又はより少なく利用してもよい。
【００６６】
図６Ａ〜図６Ｃを参照すると、塵を捕えるためのより多くのチャネルを提供するために、断続的な山形状の二次接合部３４を対にしてもよい。二次接合部３４は、１〜６ｃｍの長手方向軸ＬＡにわたって距離Ｓ３だけ離間していてもよい。
【００６７】
１４個の概ね等間隔の二次接合部３４の対が示されているが、本発明はそのように限定されるものではない。同様の又は異なるサイズ及び／若しくは間隔の二次接合部３４を、より多く、又はより少なく利用してもよい。
【００６８】
図６Ｄ〜図６Ｆを参照すると、上述の実施形態のいずれかが、可変幅の二次接合部３４を有してもよい。この配置は、二次接合部によって形成されるチャネル内のより多くの表面積という利点を提供する。予測理論的には、増大した表面積は、チャネル内の塵のより多くの捕捉を提供すると考えられる。同様に、二次接合部３４の拡大部分及び比較的広い部分は、塵の蓄積のために利用可能なリザーバを増加させると考えられる。二次接合部３４の拡大部分は、使用者が掃除用品を種々の方向に移動させた際に蓄積を提供する長手方向にオフセットされてもよい。
【００６９】
図７Ａ〜図８Ｃを参照すると、二次接合部３４はダイヤモンド形状であってもよい。当然ながら、曲線側を有し、二次接合部３４には頂点が使用されない類似の形状が使用されてもよいことを認識されたい。ダイヤモンド形状の二次接合部３４は、より少ない接合面積が任意の時点で提示されていることに起因して、やはり、製造プロセスの接合工程中に、アンペア数引き込みの低減という利点を提供する。ダイヤモンド形状は、長手方向軸ＬＡに対して反対方向に配向されたチャネルの二次接合部３４の利益を提供し、屑を捕捉するより多くの機会を提供する。これは、前後の掃除運動中に塵を捕捉するための、対称な二次接合部３４の模様である。上記の二次接合部３４の寸法は、本実施形態に好適であると考えられ、隣接する接合部の頂点間の間隔Ｃ３が２〜２０ｃｍであり、二次接合部３４の長さＣ１は１１〜２０ｃｍである。
【００７０】
図７Ａ〜図７Ｃを参照すると、塵を捕えるためのより多くのチャネルを提供するために、連続したダイヤモンド形状の二次接合部３４を対にしてもよい。この場合もやはり、上述の対称性が保持される。
【００７１】
５個の完全に又は部分的に等間隔のダイヤモンド形状の二次接合部３４の対が示されているが、本発明はそのように限定されるものではない。同様の又は異なるサイズ及び／若しくは間隔の二次接合部３４を、より多く、又はより少なく利用してもよい。
【００７２】
図９Ａ〜図９Ｃを参照すると、二次接合部３４はＳ字状であってもよい。この幾何学的形状は、これらが家具の周囲で操作された際に、多くの人が掃除作業中に利用するＳ字状の掃除模様に整合する、という利益を提供する。二次接合部３４は、１１〜２０ｃｍの斜めの長さＣ１にわたることができる。
【００７３】
図１０を参照すると、二次接合部３４は、隣接する二次接合部３４から均等に又は不均等に離間されてもよい。二次接合部３４は、同様の幾何学的形状、サイズ、角度配向及び形状であってもよい、又は相互に異なる幾何学的形状、サイズ、角度配向及び／又は形状であってもよい。掃除用品１０は、所望により、ストリップ１７を有してもよい。ストリップ１７は、１を超える長さ対幅のアスペクト比を有する。所望により、長手方向軸ＬＡに対して概ね平行に配向され、かつ所望により長手方向軸ＬＡと一致する、細長いトウ繊維ロープを使用することができる。
【００７４】
図１Ａ〜図１０を参照すると、種々の二次接合部３４の対が、示されるように利用されてもよい。しかし、本発明はそのように限定されない。３つ、４つ又はそれ以上の二次接合部３４は、密接して離間され、その他の密接に離間された二次接合部３４から離れて配置されてもよい。対である二次接合部３４、又は一般に緊密に離間された二次接合部３４は、それらの間の房１５の厚さが二次接合部の直下の厚さよりも太く、接合されていない房１５の厚さよりも薄い、という利益を提供する。この配置は、掃除用品１０のｚ方向に少なくとも３つの異なる厚さの領域が形成される、という利益を提供する。
【００７５】
図１１Ａを参照すると、掃除用品１０は、特定の作業に応じて、乾燥、湿潤、及び／又は予備湿潤掃除と共に使用するために、掃除器具７０に取り外し可能に取り付け可能であってもよい。掃除器具７０は、掃除用品１０を受容するためのヘッド７４と、それに接合される細長ハンドル７２とを有してもよい。典型的な床掃除器具７０は、使用者によって把持されるハンドル７２と、このハンドルに取り付けられた、好ましくは枢動可能にそれに取り付けられたヘッド７４とを有する。ヘッド７４は、床又はその他の標的表面に接触して移動する。掃除用品１０は、ヘッド７４の底部に取り外し可能に取り付けられてもよい。取り付けシステムは、好適で任意のハンドル７２への掃除用品１０の取り外し可能な取り付けをもたらすことができる。器具７０への掃除用品１０の取り外し可能な取り付けは、接着材３２、フック及びループシステム、細長いスリーブ、グリッパ等を使用して達成することができる。グリッパ及び好適な掃除器具７０は、本願と同一譲受人に譲渡された米国特許第６，４８４，３５６号に開示されている。
【００７６】
図１１Ｂを参照すると、掃除用品１０は、所望により、掃除溶液、又は外観のための表面処理などのその他の目的のために使用可能なその他の溶液、又は消毒剤と共に使用されてもよい。床掃除器具７０は、使用者が直立している間に床を掃除することを可能にし得、また、１つ以上のノズル７６を介してリザーバ７５から床に掃除溶液又はその他の液体を噴霧することを提供してもよい。好適なスプレー器具７０は、本願と同一譲受人に譲渡された米国特許第５，８８８，００６号、同５，９８８，９２０号、同６，８４２，９３６号、同７，１８２，５３７号、同７，５３６，７４３号、同７，６７６，８７７号及び同８，１８６，８９８号に開示されている。掃除溶液は、掃除用品１０に予め適用されて、予め湿らせた掃除用品１０を作ってもよい、又は掃除用品１０及び／又は標的表面上に適用するために、別個のリザーバ７５の内部に収容されてもよい。掃除溶液は、大部分が水であり、少なくとも約０．５、２、５若しくは１０重量％の固体、又は少なくとも約３０若しくは５０重量％の水性溶媒、非水性溶液、あるいはその混合物を含んでもよい。任意の真空を有する好適な器具７０は、米国特許第７，１３７，１６９号に開示されている。
【００７７】
図１１Ｃを参照すると、器具７０は、固定された関係で使用され、かつ１つ以上の歯７３を備える、ハンドル７２及びヘッド７４を有してもよい。歯７３は、掃除用品１０内のスリーブに挿入されてもよい。この配置により、掃除用品１０は、小さな物体を掃除するためのダスターとして便利に使用することが可能になり、空間部３１が締め付けられる。ダスター型掃除用品１０のための好適な器具７０は、本願と同一譲受人に譲渡された米国特許第８，５７８，５６４号及び第Ｄ６７４，９４９  Ｓ号に開示されている。
【００７８】
所望される場合、掃除用品１０は、自律的に移動するロボットは無人機と共に使用され、かつそれに取り外し可能に取り付けられてもよい。本発明の掃除用品と共に使用するためのロボット及び無人機の好適な例は、本願と同一譲受人に譲渡された米国特許第６，９４１，１９９号、同６，８１０，３０５号、同６，７７９，２１７号、同６，４８１，５１５号、同６，４５９，９５５号及び米国特許出願番号第１４／９９２，１９５号（２０１６年１月１１日出願、Ｐ＆Ｇ案件１４１８９）に見出される。湿式掃除及び乾式掃除による使用のためのロボットの例は、米国特許第７，３８９，１５６号、同第８，７７４，９６６号、及び同第８，８５５，８１３号に見出される。データ制御システムは、米国特許第７，４３１，５２４号に記載されているように、掃除用品１０と共に利用されてもよい。
【００７９】
掃除用品１０はまた、ハンドル７２又は器具７０を使用せず、手動で使用してもよい。所望される場合、本明細書に記載された種々の掃除用品１０を、キットとしてパッケージ化して販売してもよい。この措置は、使用者が、異なる作業に対して異なる掃除用品１０の選択肢を有するという利益を提供する。例えば、所望される場合、複数サイズの掃除用品１０を、単一のキットとしてまとめて販売してもよい。この措置により、使用者は、急な作業に対して最良に適した、特定の掃除用品１０を選択することができる。
【００８０】
掃除用品１０は、それらの任意の組み合わせで、以下の非限定的な段落のいずれかに従って作製することができる。
Ａ．ＸＹ平面及びＸＹ平面に垂直なＺ方向を画定する縁部２０、２２によって境界が区切られた掃除用品１０であって、
第１の側面と、第１の側面に対して反対側の第２の側面とを有するキャリアシートと、
複数の一次接合部３２によって前記キャリアシートの前記第１の側面に接合され、Ｚ方向にそこから外向きに延在してＺ方向にトウ厚さを有する、複数の別個のトウ繊維と、を備え、
少なくとも一対の細長い二次接合部３４が、トウ繊維の少なくとも一部分上に配置され、前記部分を前記キャリアシートに接合し、各二次接合部は、Ｚ方向において二次接合部厚さを有し、前記二次接合部厚さは、Ｚ方向において前記トウ厚さ未満であり、二次接合部３４の前記対は、少なくとも２つの隣接する複数のトウ繊維を架橋する掃除用品１０。
Ｂ．前記二次接合部３４の対がそれらの間に中間厚さを形成し、前記中間厚さは前記二次接合部厚さよりも大きく、前記二次接合部厚さ未満であることを特徴とする、段落Ａに記載の掃除用品１０。
Ｃ．それらの間に中間厚さ空間を形成し、前記チャネルが、前記ＸＹ平面内の前記複数の房１５を少なくとも部分的に通るより薄い厚さを有することを特徴とする、段落Ａに記載の掃除用品１０。
Ｄ．複数対の二次接合部３４を備える、段落Ａ、Ｂ、及びＣに記載の掃除用品１０。
Ｅ．４〜１０対の二次接合部３４を備える、段落Ａ、Ｂ、Ｃ、及びＤに記載の掃除用品１０。
Ｆ．前記房１５が、２つの対向する房長手方向縁部の中間の房１５の領域を備える、段落Ａ、Ｂ、Ｃ、Ｄ及びＥに記載の掃除用品１０。
Ｇ．前記房１５が、２つの対向する房長手方向縁部の中間の房１５の領域を備え、少なくとも一対の前記二次接合部３４が、前記房長手方向縁部の両方を横切る、段落Ａ、Ｂ、Ｃ、Ｄ、Ｅ及びＦに記載の掃除用品１０。
Ｈ．前記房１５が、２つの対向する房長手方向縁部の中間の房１５の領域を備え、少なくとも一対の前記二次接合部３４が、それらの間で中断することなく前記房長手方向縁部の両方を横切る、段落Ａ、Ｂ、Ｃ、Ｄ、Ｅ、Ｆ及びＧに記載の掃除用品１０。
Ｉ．前記房１５が、２つの対向する房長手方向縁部の中間の房１５の領域を備え、少なくとも一対の前記二次接合部３４が、前記房長手方向縁部の両方に連続的に延在しない、段落Ａ、Ｂ、Ｃ、Ｄ、Ｅ、Ｆ及びＧに記載の掃除用品１０。
Ｊ．二次接合部３４の前記対の各二次接合部が互いに、前記その他の二次接合の対から０．５〜１０ｃｍ離間している、段落Ａ、Ｂ、Ｃ、Ｄ、Ｅ、Ｆ、Ｇ、Ｈ及びＩに記載の掃除用品１０。
Ｋ．前記二次接合部３４の対の各二次接合部が互いに平行である、段落Ａ、Ｂ、Ｃ、Ｄ、Ｅ、Ｆ、Ｇ、Ｈ、Ｉ及びＪに記載の掃除用品１０。
Ｌ．前記二次接合部３４の対間のチャネルに配置された房１５が、その他の前記房１５の厚さの半分未満の厚さを視覚的に有する、段落Ａ、Ｂ、Ｃ、Ｄ、Ｅ、Ｆ、Ｇ、Ｈ、Ｉ、Ｊ及びＫに記載の掃除用品１０。
Ｍ．前記二次接合部３４の少なくとも１つの前記対が、前記横断方向軸に概ね平行である、段落Ａ、Ｂ、Ｃ、Ｄ、Ｅ、Ｆ、Ｇ、Ｈ、Ｉ、Ｊ、Ｋ及びＬに記載の掃除用品１０。
Ｎ．前記二次接合部３４の少なくとも１つの前記対が、概ね前記横断方向軸に対して斜めである、段落Ａ、Ｂ、Ｃ、Ｄ、Ｅ、Ｆ、Ｇ、Ｈ、Ｉ、Ｊ、Ｋ及びＬに記載の掃除用品１０。
Ｏ．前記長手方向軸の各側に配置され、前記長手方向軸を横切らない複数対の二次接合部３４を備える、段落Ａ、Ｂ、Ｃ、Ｄ、Ｅ、Ｆ、及びＧに記載の掃除用品１０。
Ｐ．前記長手方向軸の各側に配置され、前記長手方向軸を横切らない、ヘリングボーン模様にて配列されている複数対の二次接合部３４を備える、段落Ａ、Ｂ、Ｃ、Ｄ、Ｅ、Ｆ、Ｇ及びＯに記載の掃除用品１０。
Ｑ．前記二次接合部３４がテーパ状である、段落Ａ、Ｂ、Ｃ、Ｄ、Ｅ、Ｆ、Ｇ、Ｈ、Ｉ、Ｊ、Ｋ、Ｌ、Ｍ、Ｎ、Ｏ及びＰに記載の掃除用品１０。
Ｒ．前記二次接合部３４が、２〜１２ｍｍの一定幅を有する、段落Ａ、Ｂ、Ｃ、Ｄ、Ｅ、Ｆ、Ｇ、Ｈ、Ｉ、Ｊ、Ｋ、Ｌ、Ｍ、Ｎ、Ｏ及びＰに記載の掃除用品１０。
Ｓ．前記二次接合部３４の前記対がダイヤモンドパターンで配置されている、段落Ａ、Ｂ、Ｃ、Ｄ、Ｅ、Ｆ、Ｇ、Ｈ、及びＩに記載の掃除用品１０。
Ｔ．前記二次接合部３４の前記対が、前記長手方向軸を横切る連続したダイヤモンド模様で配列されている、段落Ａ、Ｂ、Ｃ、Ｄ、Ｅ、Ｆ、Ｇ、Ｈ、Ｉ及びＳに記載の掃除用品１０。
【００８１】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は「約４０ｍｍ」を意味することが意図されており、「約１１００ｋＰａ」と開示された圧力は、１１０３．２ｋＰａを含むことが意図されている。
【００８２】
相互参照される文書又は関連特許若しくは出願を含めた、本明細書に引用される全ての文書は、明示的に除外されるか又は特に限定されない限り、その全体が本明細書に参照として組み込まれる。いかなる文献の引用も、本明細書中で開示又は特許請求される任意の発明に対する先行技術であるとは見なされず、あるいはそれを単独で又はその他の任意の参考文献（単数又は複数）と組み合わせたときに、このような発明全てを教示、示唆又は開示するとは見なされない。更に、本文書における用語の任意の意味又は定義が、参照として組み込まれる文書内の同じ用語の意味又は定義と矛盾する場合、本文書におけるその用語に与えられた意味又は定義が適用されるものとする。範囲を規定するものとして本明細書で示した全ての限定を、範囲を規定する任意のその他の限定と共に用いてもよい。即ち、ある範囲の上限を別の範囲の下限と共に用いてもよく、逆もまた同様である。
【００８３】
本発明の特定の実施形態を例示及び説明してきたが、本発明の趣旨及び範囲から逸脱することなくその他の種々の変更及び修正を行うことができる点が、当業者には明白であろう。したがって、本発明の範囲内にあるそのような全ての変更及び修正を添付の特許請求の範囲に網羅することが、意図されている。
【図１Ａ】
2021515611.tif 000003
【図１Ｂ】
2021515611.tif 000004
【図１Ｃ】
2021515611.tif 000005
【図２Ａ】
2021515611.tif 000006
【図２Ｂ】
2021515611.tif 000007
【図２Ｃ】
2021515611.tif 000008
【図３Ａ】
2021515611.tif 000009
【図３Ｂ】
2021515611.tif 000010
【図３Ｃ】
2021515611.tif 000011
【図４Ａ】
2021515611.tif 000012
【図４Ｂ】
2021515611.tif 000013
【図４Ｃ】
2021515611.tif 000014
【図５Ａ】
2021515611.tif 000015
【図５Ｂ】
2021515611.tif 000016
【図５Ｃ】
2021515611.tif 000017
【図６Ａ】
2021515611.tif 000018
【図６Ｂ】
2021515611.tif 000019
【図６Ｃ】
2021515611.tif 000020
【図６Ｄ】
2021515611.tif 000021
【図６Ｅ】
2021515611.tif 000022
【図６Ｆ】
2021515611.tif 000023
【図７Ａ】
2021515611.tif 000024
【図７Ｂ】
2021515611.tif 000025
【図７Ｃ】
2021515611.tif 000026
【図８Ａ】
2021515611.tif 000027
【図８Ｂ】
2021515611.tif 000028
【図８Ｃ】
2021515611.tif 000029
【図９Ａ】
2021515611.tif 000030
【図９Ｂ】
2021515611.tif 000031
【図９Ｃ】
2021515611.tif 000032
【図１０】
2021515611.tif 000033
【図１１Ａ】
2021515611.tif 000034
【図１１Ｂ】
2021515611.tif 000035
【図１１Ｃ】
2021515611.tif 000036
【国際調査報告】
2021515611.tif 000037
2021515611.tif 000038
2021515611.tif 000039
2021515611.tif 000040